(57)【要約】　【課題】　磁気ディスク装置の高周波化に対応して磁気記録媒体または磁気ヘッド検査の高精度化および高速化を実現する。　【解決手段】　ディスク再生信号をＮ分配し且つサンプリングクロックをＮ分配して、該ディスク再生信号または該サンプリングクロックのいずれかに位相差を与え、ディスク再生信号に対してＮ個配設したＡ／Ｄ変換回路とメモリとを並列に動作させることで、ディスク再生信号を高速にディジタル値に変換して該メモリに保持する。【選択図】　図１
2004127511.tif 000002
【特許請求の範囲】
【請求項１】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　再生した試験データをディジタル値に変換し、変換したディジタル値より、該磁気記録媒体の磁気特性に関する演算処理をして、該磁気記録媒体の検査を行うことを特徴とする磁気記録媒体の検査装置。
【請求項２】
　請求項１記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気記録媒体の検査装置。
【請求項３】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　再生した試験データをディジタル値に変換する変換手段と、該変換手段で変換されたディジタル値を保持する保持手段と、該保持手段に保持されたディジタル値より該磁気記録媒体の磁気特性に関する演算処理をするデータ処理手段とを備え、該磁気記録媒体の検査を行うことを特徴とする磁気記録媒体の検査装置。
【請求項４】
　請求項３記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気記録媒体の検査装置。
【請求項５】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　再生した試験データをディジタル値に変換するＮ個（Ｎは整数）の変換手段と、
　該Ｎ個の変換手段を１個の変換手段につき所定のサンプリング周波数で動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段とを備え、該磁気記録媒体の検査を行うことを特徴とする磁気記録媒体の検査装置。
【請求項６】
　請求項５記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気記録媒体の検査装置。
【請求項７】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　再生した試験データをディジタル値に変換するＮ個の変換手段と、
　該Ｎ個の変換手段を１個の変換手段につきサンプリング周波数ｆADCで動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC
である関係で且つ整数であることを特徴とする磁気記録媒体の検査装置。
【請求項８】
　請求項７記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気記録媒体の検査装置。
【請求項９】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　所望の周波数で発振する第１の発振手段の出力により、該磁気記録媒体を保持する保持回転手段を回転動作させる回転制御手段と、
　該保持回転手段上の該磁気記録媒体に対向して配置される磁気ヘッドにより、該磁気記録媒体に該試験用データを記録する記録手段と、
　該磁気ヘッドにより該磁気記録媒体に記録された該試験用データを再生する再生手段と、
　再生した該試験データをディジタル値に変換するＮ個の変換手段と、
　再生した該試験データを該Ｎ個の変換手段に分配して供給する再生信号分配手段と、
　所望の周波数で発振する第２の発振手段に基づくクロック信号により、該Ｎ個の変換手段を１個の変換手段につきサンプリング周波数ｆADCで動作させるサンプリングクロック分配手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段と、
　該第１の発振手段と該第２の発振手段の発振周波数および該変換手段を動作させるサンプリング周波数とを可変する制御手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC
である関係で且つ整数であることを特徴とする磁気記録媒体の検査装置。
【請求項１０】
　請求項９記載において、前記演算処理は、該変換したディジタル値の任意の数における、波高値あるいは任意の閾値を越えるかもしくは下回る時間について、平均値あるいは分散値あるいは偏差値あるいは累積度数値を算出する統計演算処理または周波数解析演算処理であることを特徴とする磁気記録媒体の検査装置。
【請求項１１】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　所望の周波数で発振する第１の発振手段の出力により、該磁気記録媒体を保持する保持回転手段を回転動作させる回転制御手段と、
　該回転制御手段よりの回転数を表すインデックス信号および回転位置を表す該エンコード信号をもとに、スタート信号およびストップ信号に応答して、書き込み開始および終了を表す書き込みモード信号と、読み出し開始および終了を表す読み出しモード信号とを生成するモードおよびタイミング制御手段と、
　該書き込みモード信号をもとに、該保持回転手段上の該磁気記録媒体に対向して配置される磁気ヘッドにより、該磁気記録媒体に該試験用データを記録する記録手段と、
　該読み出しモード信号をもとに、該磁気ヘッドにより該磁気記録媒体に記録された該試験用データを再生する再生手段と、
　再生した該試験データをディジタル値に変換するＮ個の変換手段と、
　再生した該試験データを該Ｎ個の変換手段に分配して供給する再生信号分配手段と、
　所望の周波数で発振する第２の発振手段に基づくクロック信号により、該Ｎ個の変換手段を１個の変換手段につきサンプリング周波数ｆADCで動作させるサンプリングクロック分配手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段と、
　該第１の発振手段と該第２の発振手段の発振周波数および該変換手段を動作させるサンプリング周波数とを可変する制御手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC 
である関係で且つ整数であることを特徴とする磁気記録媒体の検査装置。
【請求項１２】
　請求項１１記載において、前記演算処理は、該変換したディジタル値の任意の数における、波高値あるいは任意の閾値を越えるかもしくは下回る時間について、平均値あるいは分散値あるいは偏差値あるいは累積度数値を算出する統計演算処理または周波数解析演算処理であることを特徴とする磁気記録媒体の検査装置。
【請求項１３】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
　該磁気記録媒体に対向して配置されるＬ個の磁気ヘッドにより、該磁気記録媒体に記録された試験データをＬ個（Ｌは２以上の整数）の個別な信号として再生するＬ個の再生手段と、
　再生した試験データをディジタル値に変換するＮ個（Ｎは２以上の整数）の変換手段と、
　再生した該試験データを所望の接続状態にして該Ｎ個の変換手段に分配して供給する再生信号分配手段と、
　該Ｎ個の変換手段を１個の変換手段につき所定のサンプリング周波数で動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段とを備え、該磁気記録媒体の検査を行うことを特徴とする磁気記録媒体の検査装置。
【請求項１４】
　請求項１３記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気記録媒体の検査装置。
【請求項１５】
　磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
再生した試験データをディジタル値に変換し、変換したディジタル値より、該磁気記録媒体の磁気特性に関する演算処理をして、該磁気記録媒体の検査を行う磁気記録媒体の検査装置であって、
該演算処理は、該変換したディジタル値をもとに複数の計数手段を選択的に計数動作させる第１の頻度計測手段と、該第１の頻度計測手段の出力をもとにヒストグラム演算処理により再生波形の平均振幅値を計測して出力する第１のヒストグラム処理手段と、
該第１のヒストグラム処理手段の出力に１／２の計数を乗算する係数手段と、
該係数手段の出力と該変換手段の出力とを大小比較して比較結果を出力する比較手段と、
該比較手段の出力が所定のレベルである期間においてのみ、所望の周波数で発振動作するクロック信号パルスを計数動作するパルス計数手段と、
該比較手段の出力の変化に基づいて動作し該パルス計数手段の出力したパルスをもとに複数の計数手段を選択的に計数動作させる第２の頻度計測手段と、
該第１の頻度計測手段の出力をもとにヒストグラム演算処理により再生波形の平均パルス幅を計測して出力する第２のヒストグラム処理手段とを備え、
所望の期間における該再生波形の平均振幅値および平均パルス幅を計測することにより、該磁気記録媒体の検査を行うことを特徴とする磁気記録媒体の検査装置。
【請求項１６】
磁気記録媒体に磁気ヘッドにより試験用データを記録するとともに、記録した試験データを該磁気ヘッドにより再生し所望の処理をすることで該磁気記録媒体の検査を行う磁気記録媒体の検査装置において、
再生した試験データをディジタル値に変換し、変換したディジタル値より、該磁気記録媒体の磁気特性に関する演算処理をして、該磁気記録媒体の検査を行う磁気記録媒体の検査装置であって、
該演算処理は、該変換したディジタル値をもとに、該ディジタル値に対応した第１のメモリのアドレスに書き込まれたデータを第１の加算回路を用いて加算して同じアドレスに書き込むことで頻度を計測する第１の頻度値保持手段と、
該第１の頻度値保持手段の出力をもとにヒストグラム演算処理により再生波形の平均振幅値を計測して出力する第１のヒストグラム処理手段と、
所定の閾値データを保持する閾値保持手段と、
該閾値保持手段の出力と該変換手段の出力とを比較して比較結果を出力する比較手段と、
該比較手段の出力が所定のレベルである期間においてのみ、所望の周波数のクロック信号パルスを計数動作するパルス計数手段と、
該パルス計数手段の出力をもとに、該ディジタル値に対応した第２のメモリのアドレスに書き込まれたデータを第２の加算回路を用いて加算して同じアドレスに書き込むことで頻度を計測する第２の頻度値保持手段と、
該第２の頻度値保持手段の出力をもとにヒストグラム演算処理により所定の閾値における再生波形の平均パルス値を計測して出力する第２のヒストグラム処理手段とを備え、
所望の期間における該再生波形の平均振幅値および平均パルス幅を計測することにより、該磁気記録媒体の検査を行うことを特徴とする磁気記録媒体の検査装置。
【請求項１７】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　再生した試験データをディジタル値に変換し、変換したディジタル値より、該磁気記録媒体の磁気特性に関する演算処理をして、該磁気ヘッドの検査を行うことを特徴とする磁気ヘッドの検査装置。
【請求項１８】
　請求項１７記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気ヘッドの検査装置。
【請求項１９】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　再生した試験データをディジタル値に変換する変換手段と、該変換手段で変換されたディジタル値を保持する保持手段と、該保持手段に保持されたディジタル値より該磁気記録媒体の磁気特性に関する演算処理をするデータ処理手段とを備え、該磁気ヘッドの検査を行うことを特徴とする磁気ヘッドの検査装置。
【請求項２０】
　請求項１９記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気ヘッドの検査装置。
【請求項２１】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　再生した試験データをディジタル値に変換するＮ個（Ｎは整数）の変換手段と、
　該Ｎ個の変換手段を１個の変換手段につき所定のサンプリング周波数で動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段とを備え、該磁気ヘッドの検査を行うことを特徴とする磁気ヘッドの検査装置。
【請求項２２】
請求項２１記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気ヘッドの検査装置。
【請求項２３】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　再生した試験データをディジタル値に変換するＮ個の変換手段と、
　該Ｎ個の変換手段を１個の変換手段につきサンプリング周波数ｆADCで動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC
である関係で且つ整数であることを特徴とする磁気ヘッドの検査装置。
【請求項２４】
　請求項２３記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気ヘッドの検査装置。
【請求項２５】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　所望の周波数で発振する第１の発振手段の出力により、該磁気記録媒体を保持する保持回転手段を回転動作させる回転制御手段と、
　該保持回転手段上の該磁気記録媒体に対向して配置される磁気ヘッドにより、該磁気記録媒体に該試験用データを記録する記録手段と、
　該磁気ヘッドにより該磁気記録媒体に記録された該試験用データを再生する再生手段と、
　再生した該試験データをディジタル値に変換するＮ個の変換手段と、
　再生した該試験データを該Ｎ個の変換手段に分配して供給する再生信号分配手段と、
　所望の周波数で発振する第２の発振手段に基づくクロック信号により、該Ｎ個の変換手段を１個の変換手段につきサンプリング周波数ｆADCで動作させるサンプリングクロック分配手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段と、
　該第１の発振手段と該第２の発振手段の発振周波数および該変換手段を動作させるサンプリング周波数とを可変する制御手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC 
である関係で且つ整数であることを特徴とする磁気ヘッドの検査装置。
【請求項２６】
　請求項２５記載において、前記演算処理は、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする磁気ヘッドの検査装置。
【請求項２７】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　所望の周波数で発振する第１の発振手段の出力により、該磁気記録媒体を保持する保持回転手段を回転動作させる回転制御手段と、
　該回転制御手段よりの回転数を表すインデックス信号および回転位置を表す該エンコード信号をもとに、スタート信号およびストップ信号に応答して、書き込み開始および終了を表す書き込みモード信号と、読み出し開始および終了を表す読み出しモード信号とを生成するモードおよびタイミング制御手段と、
　該書き込みモード信号をもとに、該保持回転手段上の該磁気記録媒体に対向して配置される磁気ヘッドにより、該磁気記録媒体に該試験用データを記録する記録手段と、
　該読み出しモード信号をもとに、該磁気ヘッドにより該磁気記録媒体に記録された該試験用データを再生する再生手段と、
　再生した該試験データをディジタル値に変換するＮ個の変換手段と、
　再生した該試験データを該Ｎ個の変換手段に分配して供給する再生信号分配手段と、
　所望の周波数で発振する第２の発振手段に基づくクロック信号により、該Ｎ個の変換手段を１個の変換手段につきサンプリング周波数ｆADCで動作させるサンプリングクロック分配手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段と、
　該データ処理手段の出力より該磁気記録媒体の判定処理をする解析処理手段と、
　該第１の発振手段と該第２の発振手段の発振周波数および該変換手段を動作させるサンプリング周波数とを可変する制御手段とを備え、且つ、
　再生した試験データの周波数ｆinに対して目標とするサンプリング周波数ｆsとの比であるＭと、該周波数ｆinと、該変換手段を動作させるサンプリング周波数ｆADCとが、
　Ｎ≧ Ｍ×ｆin／ｆADC 
である関係で且つ整数であることを特徴とする磁気ヘッドの検査装置。
【請求項２８】
　請求項２７記載において、前記演算処理は、該変換したディジタル値の任意の数における、波高値あるいは任意の閾値を越えるかもしくは下回る時間について、平均値あるいは分散値あるいは偏差値あるいは累積度数値を算出する統計演算処理または周波数解析演算処理であることを特徴とする磁気ヘッドの検査装置。
【請求項２９】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
　該磁気記録媒体に対向して配置されるＬ個の磁気ヘッドにより、該磁気記録媒体に記録された試験データをＬ個（Ｌは２以上の整数）の個別な信号として再生するＬ個の再生手段と、
　再生した試験データをディジタル値に変換するＮ個（Ｎは２以上の整数）の変換手段と、
　再生した該試験データを所望の接続状態にして該Ｎ個の変換手段に分配して供給する再生信号分配手段と、
　該Ｎ個の変換手段を１個の変換手段につき所定のサンプリング周波数で動作させるサンプリングクロック制御手段と、
　該Ｎ個の変換手段で変換されたディジタル値を保持するＮ個の保持手段と、
　該Ｎ個の保持手段に保持されたディジタル値より該磁気記録媒体の磁気特性に関する演算処理をするデータ処理手段とを備え、該磁気ヘッドの検査を行うことを特徴とする磁気ヘッドの検査装置。
【請求項３０】
　請求項２９記載において、前記演算処理は、該変換したディジタル値の任意の数における、波高値あるいは任意の閾値を越えるかもしくは下回る時間について、平均値あるいは分散値あるいは偏差値あるいは累積度数値を算出する統計演算処理または周波数解析演算処理であることを特徴とする磁気ヘッドの検査装置。
【請求項３１】
　磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
再生した試験データをディジタル値に変換し、変換したディジタル値より、該磁気記録媒体の磁気特性に関する演算処理をして、該磁気記録媒体の検査を行う磁気ヘッドの検査装置であって、
該演算処理は、該変換したディジタル値をもとに複数の計数手段を選択的に計数動作させる第１の頻度計測手段と、該第１の頻度計測手段の出力をもとにヒストグラム演算処理により再生波形の平均振幅値を計測して出力する第１のヒストグラム処理手段と、
該第１のヒストグラム処理手段の出力に１／２の計数を乗算する係数手段と、
該係数手段の出力と該変換手段の出力とを大小比較して比較結果を出力する比較手段と、
該比較手段の出力が所定のレベルである期間においてのみ、所望の周波数で発振動作するクロック信号パルスを計数動作するパルス計数手段と、
該比較手段の出力の変化に基づいて動作し該パルス計数手段の出力したパルスをもとに複数の計数手段を選択的に計数動作させる第２の頻度計測手段と、
該第１の頻度計測手段の出力をもとにヒストグラム演算処理により再生波形の平均パルス幅を計測して出力する第２のヒストグラム処理手段とを備え、
所望の期間における該再生波形の平均振幅値および平均パルス幅を計測することにより、該磁気ヘッドの検査を行うことを特徴とする磁気ヘッドの検査装置。
【請求項３２】
磁気記録媒体に磁気ヘッドにより試験用データを記録するとともに、記録した試験データを該磁気ヘッドにより再生し所望の処理をすることで該磁気ヘッドの検査を行う磁気ヘッドの検査装置において、
再生した試験データをディジタル値に変換し、変換したディジタル値より、該磁気記録媒体の磁気特性に関する演算処理をして、該磁気記録媒体の検査を行う磁気ヘッドの検査装置であって、
該演算処理は、該変換したディジタル値をもとに、該ディジタル値に対応した第１のメモリのアドレスに書き込まれたデータを第１の加算回路を用いて加算して同じアドレスに書き込むことで頻度を計測する第１の頻度値保持手段と、
該第１の頻度値保持手段の出力をもとにヒストグラム演算処理により再生波形の平均振幅値を計測して出力する第１のヒストグラム処理手段と、
所定の閾値データを保持する閾値保持手段と、
該閾値保持手段の出力と該変換手段の出力とを比較して比較結果を出力する比較手段と、
該比較手段の出力が所定のレベルである期間においてのみ、所望の周波数のクロック信号パルスを計数動作するパルス計数手段と、
該パルス計数手段の出力をもとに、該ディジタル値に対応した第２のメモリのアドレスに書き込まれたデータを第２の加算回路を用いて加算して同じアドレスに書き込むことで頻度を計測する第２の頻度値保持手段と、
該第２の頻度値保持手段の出力をもとにヒストグラム演算処理により所定の閾値における再生波形の平均パルス値を計測して出力する第２のヒストグラム処理手段とを備え、
所望の期間における該再生波形の平均振幅値および平均パルス幅を計測することにより、該磁気ヘッドの検査を行うことを特徴とする磁気ヘッドの検査装置。
【発明の詳細な説明】
【技術分野】
【０００１】
　本発明は、書き込みおよび読み出し可能な磁気記録媒体または磁気ヘッドを検査する磁気記録媒体または磁気ヘッドの検査装置に関する。
【背景技術】
【０００２】
　従来、ワークステーション等の情報処理装置において外部記憶装置として磁気記録装置が用いられてきた。特に磁気ディスク装置は、近年における磁性体または磁気ヘッドの改良や信号処理技術の向上等により記録密度の高密度化、記録周波数の高周波化および磁気ディスク装置の低価格化がすすみ、情報処理装置の高速化および低価格化の一端を担っていることはよく知られている。
【０００３】
　また磁気ディスク装置は、外部記憶装置として記録／再生したデータに対して高信頼性であることが要求されており、磁気ディスク装置に用いる磁気ディスクあるいは磁気ヘッドの検査は、実使用周波数で磁気ディスクあるいは磁気ヘッドを用いて試験データの記録・再生を行って検査する方式がよく用いられている。
【０００４】
　特に磁気ディスクについては、磁気ディスクに記録した試験データを記録／再生して、例えば国際ディスクドライブ協会（ＩＤＥＭＡ）において推奨されている試験パラメータである図１１に示すようなディスク再生信号の平均振幅であるＴＡＡ（Track Average Amplitude）または平均振幅（ＴＡＡ）の５０％点にお
けるディスク再生信号の平均パルス幅であるＰＷ５０等を測定するパラメトリックテストを行って検査対象ディスクの評価および検査を行う。
【０００５】
　また、磁気ディスクに対して一定周期データの書き込み／読み出しを行った際に、ディスク再生信号振幅がデータパルス単位で平均ディスク再生信号振幅よりも過小な振幅で再生されるミッシングエラーや平均振幅よりも過大な振幅で再生されるスパイクエラー等を検出するサーティファイテスト等を行って検査対象ディスクの評価および検査を行う。
【０００６】
　図１０は、従来の磁気記録媒体または磁気ヘッドの検査装置の構成を示す図である。
【０００７】
　図１０に示す検査装置では、まず検査対象とする磁気ディスク１０１をディスク回転部１０３により回転動作させ、これに対して、テスト信号発生回路６０２で周波数ｆｏのテスト信号Ｓｔを発生して書き込み制御回路６０３に加え、書き込み制御回路６０３でテストデータを生成し、書込／読出アンプ６０１においてテストデータを所定のレベルの書き込み電流に変換して、良品または磁気特性を認知しているＲ／Ｗヘッド１０２を介して磁気ディスク１０１に順次テストデータを書き込む。
【０００８】
　書き込み終了後、テストデータを書き込んだ磁気ディスク１０１上のトラックに対して、Ｒ／Ｗヘッド１０２により順次に書込／読出アンプ６０１を介して正相、逆相の２つの信号としてディスク再生信号を再生し、レベル調整用アンプ（ＡＭＰ）６０４に送出する。ここでレベル調整された２つのディスク再生信号（それぞれ周波数ｆｏのテスト信号Ｓｔに対応する信号）Ｓｓ１、Ｓｓ２は、ＴＡＡ検出回路６０５とＰＷ検出回路６０７と波形比較回路６０８とに入力される。
【０００９】
　ＴＡＡ検出回路６０５は、例えば電圧比較回路（コンパレータ）と制御電流源とコンデンサとトラック１周積分回路とを用いて構成し（図示せず）、コンデンサ充電電圧とディスク再生波形電圧とを比較して、コンデンサ充電電圧よりもディスク再生信号電圧が高ければコンデンサを充電するように制御電流源をコンパレータにより制御してディスク再生信号のピーク値付近の包絡線電圧を検出し、トラック１周積分回路によりトラック１周期間の包絡線電圧積分値を検出する。包絡線電圧積分値に対してトラック１周分の時間で除算処理を行うこと、すなわちディスク再生信号の包絡線電圧に対して平均化処理を行うことでディスク再生信号の平均振幅値ＴＡＡを検出してスライスレベル作成回路６０６に出力する。
【００１０】
　また制御部１１０のＣＰＵ１１１は、ＴＡＡ検出回路の出力である平均振幅値ＴＡＡを読み込み、ＴＡＡ計測を行う。
【００１１】
　スライスレベル作成回路６０６では、ＴＡＡの電圧レベルに対して５０％の電圧を閾値（スライスレベル）としてスライス設定１としてＰＷ検出回路６０７に出力し、また制御部１１０のＣＰＵ１１１により出力された制御信号ＰによりＴＡＡの電圧レベルに対してＰ％の電圧値をスライス設定２として波形比較回路６０８に出力する。
【００１２】
　ＰＷ検出回路６０７は、例えば電圧比較回路（コンパレータ）と制御電流源とコンデンサとトラック１周積分回路とで構成し（図示せず）、上述のディスク再
生信号がスライス設定１のレベルを超える時間だけコンデンサを充電するように制御電流源をコンパレータにより制御し、コンデンサ充電電圧をトラック１周積分回路においてトラック１周期間積分してパルス幅積分値（電圧）を検出する。制御部１１０のＣＰＵ１１１は、ＰＷ検出回路６０７の出力であるパルス幅積分値（電圧）を制御電流源の充電電流値とトラック１周期間のディスク再生信号パルス数で除算処理することで、前述の平均パルス幅ＰＷ５０を計測する。
【００１３】
　波形比較回路６０８は、例えば電圧比較回路（コンパレータ）で構成され、前述のディスク再生信号の電圧値とスライス設定２の電圧値との比較結果を検出信号としてエラー検出回路６０９に出力する。エラー検出回路６０９はゲート回路で構成され、上述のテスト信号発生回路６０２から送出されるテストデータの各ビットに対応するタイミング信号Tをもとに所定の設定期間のみディスク再生信号パルスのピーク位置を検出するウィンドウパルスを生成し、波形比較回路６０８の出力である検出信号とウィンドウパルスとから例えばミッシングエラーやスパイクエラー等のエラーを検出して、タイミング信号Ｔの各ビットに同期させてビットエラー信号Ｅｒをエラーメモリ６１０に出力する。エラー検出回路６０９はまた、制御部１１０のＣＰＵ１１１からの制御信号Ｐを受けて、上述のミッシングエラーやスパイクエラー等の各エラーを検出するように、エラーの種別に応じて動作状態を切り替えられる。
【００１４】
　エラーメモリ６１０は、テスト信号発生回路が６０２発生するタイミング信号Ｔを受けてエラーメモリ６１０のアドレスを順次更新し、またエラー検出回路６０９が出力するエラー信号Ｅｒを欠陥データ“１”、“０”として更新されたア
ドレスに順次記憶する。ＣＰＵ１１１は、検査対象とする磁気ディスク１０１の全周のテストが終了した時点でエラーメモリ６１０の内容をバスを介してメモリ１１２に読み込んで磁気ディスク１０１の評価を行う。
【００１５】
　上述は検査対象が磁気ディスクであるが、検査対象が磁気ヘッドの場合には、図１１の磁気ヘッド１０１として良品または磁気特性の認識している磁気ディスクを使用することで、同じ構成で、磁気ヘッドであるＲ／Ｗヘッド１０２の評価を行う
　従って図１０に示した従来の磁気記録媒体または磁気ヘッドの検査装置は、検査対象とする磁気ディスク１０１に対して上述の回路動作を行うことで、ＴＡＡまたはＰＷ５０を測定してパラメトリックテストを実現し、またミッシングエラーまたはスパイクエラーを測定してサーティファイテストを実現する。本技術に関連した公知例としては、例えば特開平１０−８３５０１号公報に、従来のサーティファイアの概略として述べられている。
【発明の開示】
【発明が解決しようとする課題】
【００１６】
　しかしながら、従来からのアナログ方式による磁気記録媒体または磁気ヘッドの検査装置では、例えば上述の通り包絡線検波回路を用いてディスク再生信号振幅値を検出するため、図１１に示したＴＡＡを厳密に計測することについて考慮されておらず、さらにトラック１周積分回路を用いて平均化処理することでディスク再生信号からＴＡＡおよびＰＷ５０を計測するため、例えば不連続な任意の数のディスク再生信号パルスにおけるパルス幅または振幅値等を検出して磁気ディスクに対する詳細で且つ高精度な検査を行うことについては考慮されていなかった。
【００１７】
　また、従来からのアナログ方式を用いた磁気記録媒体または磁気ヘッドの検査装置では、ディスク再生信号が高周波になると、例えばＴＡＡ検出回路ではコンパレータの応答が入力の変化に間に合わずＴＡＡ検出精度が悪化する。今後の磁気ディスク装置の高周波化に対して従来方式と同様の検出精度でＴＡＡを測定する場合、例えば現状で利得５４ｄＢ／周波数帯域幅２ＧＨｚである性能のコンパレータに対して周波数帯域幅が８ＧＨｚ以上と４倍以上のＩＣプロセス性能の向上が必要であり、現状のＩＣプロセス技術では実現が困難である。従って従来方式では今後の磁気ディスク装置の高周波化に対して磁気ディスクまたは磁気ヘッドを実使用周波数で高精度に検査出来ない可能性があり、すなわち高速／高精度な検査が出来ず、検査対象とする磁気ディスクまたは磁気ヘッドの信頼性が低下するという課題を有している。
【００１８】
　また、従来からのアナログ方式を用いた磁気記録媒体または磁気ヘッドの検査装置において、ディスク再生信号をディジタルサンプリングオシロスコープ等を用いて波形観測して計測することで磁気ディスク装置の高周波化に対応した検査方式があるが、非周期的な任意の検査データ書き込みに対してディジタルサンプリングオシロスコープではディスク再生信号波形を観測して計測することが不可能であるという課題を有している。また周期的な検査データを用いてディジタルサンプリングオシロスコープ等によりディスク再生信号波形の計測を行う場合であっても、磁気ディスクの全トラックに対して試験データを記録／再生する検査を行う場合、検査時間の高速化が図れず磁気ディスクの検査工程におけるスループットが低下するため、磁気ディスクの低価格化が図れないという課題を有していた。
【００１９】
　本発明の目的は、磁気ディスクまたは磁気ヘッドに対して詳細で且つ高精度な検査が実現可能な磁気記録媒体または磁気ヘッドの検査装置を提供することにある。
【００２０】
　また、本発明の目的は、磁気ディスクまたは磁気ヘッドに対して詳細で且つより高精度な検査が実現可能な磁気記録媒体または磁気ヘッドの検査装置を提供することにある。
【００２１】
　また、本発明の目的は、磁気記録媒体または磁気ヘッドの検査装置において、磁気ディスクまたは磁気ヘッドの高速な検査を実現できる磁気記録媒体または磁気ヘッドの検査装置を提供することにある。
【００２２】
　また、本発明の目的は、磁気記録媒体または磁気ヘッドの検査装置において、再生試験データの平均振幅値ＴＡＡ並びに平均パルス幅ＰＷ５０を高速に計測することが実現できる磁気記録媒体または磁気ヘッドの検査装置を提供することにある。
【課題を解決するための手段】
【００２３】
　本発明は、磁気記録媒体に磁気ヘッドにより試験用データを記録するとともに、記録した試験データを該磁気ヘッドにより再生し所望の処理をすることで該磁気記録媒体または磁気ヘッドの検査を行う検査装置において、再生した試験データをディジタル値に変換し、変換したディジタル値より、該磁気記録媒体の磁気特性に関する演算処理をして、該磁気記録媒体または磁気ヘッドの検査を行うことを特徴とする検査装置である。
【００２４】
　また、本発明は、前記演算処理が、該変換したディジタル値を用いて任意の該再生試験データの波高値あるいは任意の閾値を越えるかもしくは下回る閾値時間を計測し、該波高値あるいは該閾値時間についての平均値あるいは分散値あるいは偏差値あるいは累積度数値を算出する統計演算処理または周波数解析演算処理であることを特徴とする検査装置である。
【００２５】
　また、本発明は、磁気記録媒体に磁気ヘッドにより試験用データを記録するとともに、記録した試験データを該磁気ヘッドにより再生し所望の処理をすることで該磁気記録媒体の検査を行う磁気記録媒体または磁気ヘッドの検査装置において、再生した試験データをディジタル値に変換する変換手段と、該変換手段で変換されたディジタル値を保持する保持手段と、該保持手段に保持されたディジタル値より該磁気記録媒体の磁気特性に関する演算処理をするデータ処理手段とを備え、該磁気記録媒体または磁気ヘッドの検査を行うことを特徴とする検査装置である。
【００２６】
　また、本発明は、磁気記録媒体に磁気ヘッドにより試験用データを記録するとともに、記録した試験データを該磁気ヘッドにより再生し所望の処理をすることで該磁気記録媒体磁気記録媒体の検査を行う検査装置において、再生した試験データをディジタル値に変換するＮ個（Ｎは整数）の変換手段と、該Ｎ個の変換手段を１個の変換手段につき所定のサンプリング周波数で動作させるサンプリングクロック制御手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段とを備え、該磁気記録媒体または磁気ヘッドの検査を行うことを特徴とする検査装置である。
【００２７】
　また、本発明は、磁気記録媒体に磁気ヘッドにより試験用データを記録するとともに、記録した試験データを該磁気ヘッドにより再生し所望の処理をすることで該磁気記録媒体または磁気ヘッドの検査を行う検査装置において、再生した試験データをディジタル値に変換するＮ個の変換手段と、該Ｎ個の変換手段を１個の変換手段につきサンプリング周波数ｆADCで動作させるサンプリングクロック制御手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段と、該データ処理手段の出力より該磁気記録媒体の判定処理をする解析処理手段とを備え、且つ、再生した試験データの周波数ｆinに対して目標とするサンプリング周波数ｆsとの比であるＭと、該周波数ｆinと、該変換手段を動作させるサンプリング周波数ｆADCとが、Ｎ≧ Ｍ×ｆin／ｆADC  である関係で且つ整数であることを特徴とする検査装置である。
【００２８】
　また、本発明は、磁気記録媒体に磁気ヘッドにより試験用データを記録するとともに、記録した試験データを該磁気ヘッドにより再生し所望の処理をすることで該磁気記録媒体または磁気ヘッドの検査を行う検査装置において、所望の周波数で発振する第１の発振手段の出力により、該磁気記録媒体を保持する保持回転手段を回転動作させる回転制御手段と、該保持回転手段上の該磁気記録媒体に対向して配置される磁気ヘッドにより、該磁気記録媒体に該試験用データを記録する記録手段と、該磁気ヘッドにより該磁気記録媒体に記録された該試験用データを再生する再生手段と、再生した該試験データをディジタル値に変換するＮ個の変換手段と、再生した該試験データを該Ｎ個の変換手段に分配して供給する再生信号分配手段と、所望の周波数で発振する第２の発振手段に基づくクロック信号により、該Ｎ個の変換手段を１個の変換手段につきサンプリング周波数ｆADCで動作させるサンプリングクロック分配手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段と、該データ処理手段の出力より該磁気記録媒体の判定処理をする解析処理手段と、該第１の発振手段と該第２の発振手段の発振周波数および該変換手段を動作させるサンプリング周波数とを可変する制御手段とを備え、且つ、再生した試験データの周波数ｆinに対して目標とするサンプリング周波数ｆsとの比であるＭと、該周波数ｆinと、該変換手段を動作させるサンプリング周波数ｆADCとが、Ｎ≧ Ｍ×ｆin／ｆADC   である関係で且つ整数であることを特徴とする磁気記録媒体の検査装置である。
【００２９】
　また、本発明は、磁気記録媒体に磁気ヘッドにより試験用データを記録するとともに、記録した試験データを該磁気ヘッドにより再生し所望の処理をすることで該磁気記録媒体または磁気ヘッドの検査を行う検査装置において、所望の周波数で発振する第１の発振手段の出力により、該磁気記録媒体を保持する保持回転手段を回転動作させる回転制御手段と、該回転制御手段よりの回転数を表すインデックス信号および回転位置を表す該エンコード信号をもとに、スタート信号およびストップ信号に応答して、書き込み開始および終了を表す書き込みモード信号と、読み出し開始および終了を表す読み出しモード信号とを生成するモードおよびタイミング制御手段と、該書き込みモード信号をもとに、該保持回転手段上の該磁気記録媒体に対向して配置される磁気ヘッドにより、該磁気記録媒体に該試験用データを記録する記録手段と、該読み出しモード信号をもとに、該磁気ヘッドにより該磁気記録媒体に記録された該試験用データを再生する再生手段と、再生した該試験データをディジタル値に変換するＮ個の変換手段と、再生した該試験データを該Ｎ個の変換手段に分配して供給する再生信号分配手段と、所望の周波数で発振する第２の発振手段に基づくクロック信号により、該Ｎ個の変換手段を１個の変換手段につきサンプリング周波数ｆADCで動作させるサンプリングクロック分配手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段と、該データ処理手段の出力より該磁気記録媒体の判定処理をする解析処理手段と、該第１の発振手段と該第２の発振手段の発振周波数および該変換手段を動作させるサンプリング周波数とを可変する制御手段とを備え、且つ、再生した試験データの周波数ｆinに対して目標とするサンプリング周波数ｆsとの比であるＭと、該周波数ｆinと、該変換手段を動作させるサンプリング周波数ｆADCとが、　Ｎ≧ Ｍ×ｆin／ｆADC  である関係で且つ整数であることを特徴とする磁気記録媒体の検査装置である。
【００３０】
　また、本発明は、磁気記録媒体に磁気ヘッドにより試験用データを記録するとともに、記録した試験データを該磁気ヘッドにより再生し所望の処理をすることで該磁気記録媒体または磁気ヘッドの検査を行う検査装置において、該磁気記録媒体に対向して配置されるＬ個の磁気ヘッドにより、該磁気記録媒体に記録された試験データをＬ個（Ｌは２以上の整数）の個別な信号として再生するＬ個の再生手段と、再生した試験データをディジタル値に変換するＮ個（Ｎは２以上の整数）の変換手段と、再生した該試験データを所望の接続状態にして該Ｎ個の変換手段に分配して供給する再生信号分配手段と、該Ｎ個の変換手段を１個の変換手段につき所定のサンプリング周波数で動作させるサンプリングクロック制御手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段とを備え、該磁気記録媒体または磁気ヘッドの検査を行うことを特徴とする検査装置である。
【００３１】
　また、本発明は、磁気記録媒体に磁気ヘッドにより試験用データを記録するとともに、記録した試験データを該磁気ヘッドにより再生し所望の処理をすることで該磁気記録媒体の検査を行う磁気記録媒体または磁気ヘッドの検査装置において、  再生した試験データをディジタル値に変換し、変換したディジタル値より、該磁気記録媒体の磁気特性に関する演算処理をして、該磁気記録媒体または磁気ヘッドの検査を行う検査装置であって、該演算処理は、該変換したディジタル値をもとに複数の計数手段を選択的に計数動作させる第１の頻度計測手段と、該第１の頻度計測手段の出力をもとにヒストグラム演算処理により再生波形の平均振幅値を計測して出力する第１のヒストグラム処理手段と、該第１のヒストグラム処理手段の出力に１／２の計数を乗算する係数手段と、該係数手段の出力と該変換手段の出力とを大小比較して比較結果を出力する比較手段と、該比較手段の出力が所定のレベルである期間においてのみ、所望の周波数で発振動作するクロック信号パルスを計数動作するパルス計数手段と、該比較手段の出力の変化に基づいて動作し該パルス計数手段の出力したパルスをもとに複数の計数手段を選択的に計数動作させる第２の頻度計測手段と、該第１の頻度計測手段の出力をもとにヒストグラム演算処理により再生波形の平均パルス幅を計測して出力する第２のヒストグラム処理手段とを備え、所望の期間における該再生波形の平均振幅値および平均パルス幅を計測することにより、該磁気記録媒体または磁気ヘッドの検査を行うことを特徴とする検査装置である。
【００３２】
　また、本発明は、磁気記録媒体に磁気ヘッドにより試験用データを記録するとともに、記録した試験データを該磁気ヘッドにより再生し所望の処理をすることで該磁気記録媒体の検査を行う磁気記録媒体または磁気ヘッドの検査装置において、再生した試験データをディジタル値に変換し、変換したディジタル値より、該磁気記録媒体の磁気特性に関する演算処理をして、該磁気記録媒体または磁気ヘッドの検査を行う検査装置であって、該演算処理は、該変換したディジタル値をもとに、該ディジタル値に対応した第１のメモリのアドレスに書き込まれたデータを第１の加算回路を用いて加算して同じアドレスに書き込むことで頻度を計測する第１の頻度値保持手段と、該第１の頻度値保持手段の出力をもとにヒストグラム演算処理により再生波形の平均振幅値を計測して出力する第１のヒストグラム処理手段と、 所定の閾値データを保持する閾値保持手段と、該閾値保持手段の出力と該変換手段の出力とを比較して比較結果を出力する比較手段と、該比較手段の出力が所定のレベルである期間においてのみ、所望の周波数のクロック信号パルスを計数動作するパルス計数手段と、該パルス計数手段の出力をもとに、該ディジタル値に対応した第２のメモリのアドレスに書き込まれたデータを第２の加算回路を用いて加算して同じアドレスに書き込むことで頻度を計測する第２の頻度値保持手段と、該第２の頻度値保持手段の出力をもとにヒストグラム演算処理により所定の閾値における再生波形の平均パルス値を計測して出力する第２のヒストグラム処理手段とを備え、所望の期間における該再生波形の平均振幅値および平均パルス幅を計測することにより、該磁気記録媒体または磁気ヘッドの検査を行うことを特徴とする検査装置である。
【発明の効果】
【００３３】
　本発明によれば、磁気記録媒体または磁気ヘッドの検査装置において、磁気記録媒体よりの再生の試験データをディジタル値に変換し、変換したディジタル値より、該磁気記録媒体の磁気特性に関する演算処理をすることで、磁気ディスクまたは磁気ヘッドに対して詳細で且つ高精度な検査を実現できる効果を奏する。
【００３４】
　また、本発明によれば、磁気記録媒体よりの再生の試験データを、Ｎ個の変換手段を用いて高速にディジタル値に変換し、変換したディジタル値より、該磁気記録媒体の磁気特性に関する演算処理をすることで、磁気ディスクまたは磁気ヘッドに対して詳細で且つより高精度な検査を実現でき、今後の磁気ディスク装置の高周波化に対応した検査を実現できる効果を奏する。
【００３５】
　また本発明によれば、磁気記録媒体または磁気ヘッドの検査装置において、複数の再生試験データを、個別にディジタル値に変換して処理することで磁気記録媒体または磁気ヘッドの高速な検査を実現できる効果を奏する。
【００３６】
　また本発明によれば、磁気記録媒体または磁気ヘッドの検査装置において、再生試験データの平均振幅値ＴＡＡ並びに平均パルス幅ＰＷ５０を高速に計測することが実現できる効果を奏する。
【発明を実施するための最良の形態】
【００３７】
　本発明の実施の形態について図を用いて説明する。
【００３８】
　図１は本発明の第１の実施の形態について示す構成図であり、例えば磁気記録媒体に対して設定した試験用データを記録し、該磁気記録媒体に記録した該試験データを再生し、該試験データ再生信号を用いて該磁気記録媒体または磁気記録ヘッドの良否判定、あるいは特性測定を行う磁気記録媒体または磁気ヘッドの検査装置の構成図である。
【００３９】
　図１に示す磁気記録媒体または磁気記録ヘッドの検査装置１では、記録動作として、ディスク回転部１０３において磁気記録媒体であるディスク１０１を保持して回転動作させ、書き込みデータ生成部１２１において検査に用いる試験用データを生成して出力し、該書き込みデータ生成部１２１の該出力を書込アンプ１２２において増幅して出力し、ディスク１０１において試験目標とするトラック上にＲ／Ｗヘッド１０２を配置して、該書込アンプ１２２の該出力をもとに該Ｒ／Ｗヘッド１０２の磁界を変化させて磁気特性を有する該ディスク１０１に対して書き込み動作させて回転動作中の該ディスク１０１の試験目標トラックに該試験用データを円周方向に記録する。
【００４０】
　また、再生動作として、回転動作する該ディスク１０１に記録した試験データに基づく磁界の変化をＲ／Ｗヘッド１０２において検出し、該検出信号を再生アンプ１３１により増幅してディスク再生信号を出力し、該ディスク再生信号をディスク再生信号分配回路１３２により４分配（Ｎ＝４）し、４分配された該ディスク再生信号をそれぞれ独立なサンプリングクロック信号を用いて４個（Ｎ＝４）配設したＡ／Ｄ変換回路１４１〜１４４により各々独立にディジタル値に変換して出力し、該Ａ／Ｄ変換回路１４１〜１４４が出力するディジタル値をメモリ１５１〜１５４に保持する。
【００４１】
　該メモリ１５１〜１５４に保持されたディジタル値化した該ディスク再生信号データをもとにデータ処理部１３５において該ディスク再生信号に対して目標とする測定値を演算処理等によって算出して出力し、該データ処理部１３５により出力した該ディスク再生信号の測定値をもとに、解析処理部１３６において検査対象とする該ディスクが正常であるか否かを演算して判定処理する判定動作とを行うことで、検査対象とする磁気ディスクまたは磁気ヘッドの検査を行う。
【００４２】
　ディスク回転制御部１０３は、制御部１１０に配設したＣＰＵ１１１の制御により所定の周波数で発振する可変周波数発振回路１１３の出力をもとに、ディスク回転制御信号を生成して、ディスク回転部１０３に対してディスク１０１を所定の回転数で一定に回転動作するように制御する。ＣＰＵ１１１は上述の可変周波数発振回路１１３と後述する可変周波数発振回路１１４とを独立に制御するため、ディスク１０１は試験データの書き込みおよび読み出しとは独立に一定回転動作するように制御される。
【００４３】
　またディスク回転制御部１０４は、ディスク回転部１０３が出力するディスク回転数検出信号をもとにモード切替／タイミング制御部１３７に対してインデックス信号（ディスク１回転あたり１パルス出力）あるいはエンコーダ信号（例えばディスク１回転あたり１０２４あるいは２０４８パルス出力）を出力する。
【００４４】
　該モード切替／タイミング制御部１３７は、制御部１１０に配設したＣＰＵ１１１の制御により所定の周波数で発振する可変周波数発振回路１１４の出力である基準クロック信号を受けて回路動作し、内部の記録再生セクタ判別部（図示せず）において、例えばカウンタ等のパルス計数回路により、セクタカウンタを設けて、図２に示すごとく該ディスク回転制御部１０４が出力した該インデックス信号を用いて該セクタカウンタを０にリセットし且つ該エンコーダ信号のパルス数を計数動作することで該Ｒ／Ｗヘッド１０２により試験データの記録／再生を行う該ディスクのセクタ位置（以下、セクタ位置と記す）を判別する。
【００４５】
　また設定したスタートセクタ値およびストップセクタ値と該セクタカウンタの出力値であるセクタ位置とを一致比較することでスタート検出信号およびストップ検出信号を内部的に生成して該ディスク１０１に対する書き込みモードあるいは読み出しモードの開始／終了のタイミングを判別し、書込みモード信号あるいは読み出しモード信号の生成を行って検査装置１の各部に対してモード切り替えとタイミング制御を行う。
【００４６】
　図２(1)は、インデックス信号とエンコーダ信号とを用いて任意のセクタを検査する例を示すもので、例えばディスク回転制御部１０４においてエンコーダ信号をディスク１回転あたり２０４８パルス出力し、スタートセクタ値を２でストップセクタ値を２０４４とした場合について、検査対象期間の判別および書き込みモード信号／読み出しモード信号の切り替え動作を行う例を示した図である。
【００４７】
　ここで、書き込みおよび読み出しの各モード期間は検査装置１のユーザが決定する所定の期間であり、制御部１１０内のメモリ１１２に保持したテストプログラムによりＣＰＵ１１１を介して、該モード切替／タイミング制御部１３７内のレジスタ等にスタートセクタ値およびストップセクタ値として設定する。該モード切替／タイミング制御部１３７において配設した上述の記録再生セクタ判別部により、スタート検出信号はセクタ位置とスタートセクタ値とが一致する期間のみ有効状態を表す電圧レベルを出力し、ストップ検出信号はセクタ位置とストップセクタ値とが一致する期間のみ効状態を表す電圧レベルを出力する。
【００４８】
　従って該モード切替／タイミング制御部１３７では、スタート検出信号パルス出力時からストップ検出信号出力時までの間を検査対象期間として判別可能であり、図２(1)に図示するように例えばディスクＮ回転目において検査対象とする
期間に書き込みモード信号を生成し、ディスクＮ＋１回転において検査対象とする期間に書き込みモード信号の生成を行うことで、ディスク１０１の任意のセクタに対して試験が可能となる。
【００４９】
　また図１および図２には特に図示していないが、記録再生セクタ判別部において試験データ書き込み時と読み出し時とにおいて各々スタートセクタ値とストップセクタ値とをモード毎に個別に設定できる構成とすることで、試験データの書き込み期間と読み出し期間とを各々独立して設定することが可能である。またインデックス信号計数回路を配設してディスク回転数判別機能を加えることで、任意の回転数で且つ任意のセクタに対して試験データの書き込みと読み出しとが可能となる。
【００５０】
　次に図２(2)にインデックス信号のみを用いてディスク検査を行う例を示す。図２(2)は書き込みモード信号あるいは読み出しモード信号が有効になって最初のインデックス信号パルスをスタートパルスとして出力し、書き込みあるいは読み出しモードにおいてスタートパルスとして用いたインデックス信号パルスの次のパルスをストップパルスとして出力することで、ディスク１回転分の書き込みあるいは読み出し動作を行う、すなわち磁気ディスク１０１のトラック毎の検査を行う例を示したものである。
【００５１】
　図２(2)では例えばディスク１０１のＮ回転目とＮ＋２回転目とでスタートパルスを出力し、ディスク１０１のＮ＋１回転目とＮ＋３回転目とでストップパルスを出力する例を示している。ここで、図２(2)ではディスク１０１に対して回転数単位で書き込みあるいは読み出し動作を行う例を示しているが、記録再生セクタ判別部において任意の周波数のクロック信号で動作し且つ該インデックス信号でリセット動作するような計数回路を配設して図２(1)と同様にセクタ計数動作を行う機能を持たせることで、任意のセクタに対して検査することが可能となることはいうまでもない。
【００５２】
　また該モード切替／タイミング制御部１３７は、上述のセクタ判別動作に加えて、検査装置１の各部に対して例えば書き込み動作と読み出し動作と解析処理動作とからなる三つの動作状態について制御を行う。すなわち第一の動作状態である書き込み動作時において、該モード切替／タイミング制御部１３７は、前述のセクタ検出機能により書き込みセクタの判別を行って生成した書き込みモード信号をもとに、ディスク１０１への記録ビット周波数に等しく設定したデータ生成信号タイミング信号を書き込みデータ生成部１２１に対して出力して書き込みデータ生成制御を行い、またＲ／Ｗヘッド１０２において試験データに応じて書き込み磁界を変化させるため該書き込みモード信号により書き込みアンプ１２２の出力端子を出力可能になるように制御することで、該ディスク１０１に対してデータの書き込み動作を制御する。
【００５３】
　また、書き込み動作時において該モード切替／タイミング制御部１３７は読み出しモード信号を不可状態とすることで、該サンプリングクロック分配回路１３２と該Ａ／Ｄ変換回路１４１〜１４４と該メモリ制御信号分配回路１３４と該メモリ１５１〜１５４とに対して各々の動作を停止するように各制御信号を出力して、該ディスク１０１への書き込み信号をディスク再生信号として誤って読み出すことのないように各部を制御する。上述の書き込み動作は、図２に示す検査対象期間（書き込み）中における検査装置の動作状態について述べたものである。
【００５４】
　第二の動作状態である読み出し動作時において、該モード切替／タイミング制御部１３７は、上述のセクタ検出機能により読み出しセクタの判別を行って生成した読み出しモード信号をもとに、ディスク再生信号分配回路１３２によって分配したディスク再生信号をＮ個配設した該Ａ／Ｄ変換回路１４１〜１４４においてサンプリングするため、サンプリングクロック分配回路１３３において設定したタイミングでサンプリングクロックＣＬＫ１，ＣＬＫ２，ＣＬＫ３，ＣＬＫ４を生成して出力するように読み出しモード信号とサンプリングクロックとをサンプリングクロック分配回路１３３に出力する。
【００５５】
　また同時に該モード切替／タイミング制御部１３７は、上述のサンプリング動作により得たディスク再生信号のディジタル値を該メモリ１５１〜１５４においてメモリアドレスを切り替えて順次メモリへ書き込み保持を行うため、アドレス制御信号およびライトイネーブル信号等からなるメモリ制御信号と読み出しモード信号とを該サンプリングクロックと等しいかまたはそれ以下の周波数でメモリ制御信号分配回路１３４に出力することで、ディジタル値化したディスク再生信号データの読み出し動作のタイミング制御を行う。
【００５６】
　また該モード切替／タイミング制御部１３７は、該書き込みデータ生成部１２１に対する該データ生成信号タイミング信号を停止して書き込みデータ生成部１２１を出力停止状態に制御し、且つ該書き込みアンプ１２２の出力端子を例えば高インピーダンス状態等にして出力を停止させるため該書き込みモード信号を無効状態に制御することで、読み出し動作中における該ディスクへの書き込み動作を停止させる。
【００５７】
　つまり該モード切替／タイミング制御部１３７は、上述の書き込み動作と読み出し動作とを同時に行わないように制御するため、書き込みモード信号と読み出しモード信号とを同時に有効にならないように相互に排他的に制御する。上述の読み込み動作は、図２に示す検査対象期間（読み込み）中における検査装置の動作状態について述べたものである。
【００５８】
　第三の動作状態である解析処理動作において、該モード切替／タイミング制御部１３７は、該メモリ１５１〜１５４に保持したディジタル値（以下データと記す）をもとにディスク再生信号の平均波高値（ＴＡＡ）やパルス幅（ＰＷ５０）等を求める演算処理を該データ処理部１３５において行うため、該メモリ１５１〜１５４に書き込まれたデータが有効であるか否かを示すデータ処理タイミング信号を該データ処理部１３５に出力し、該解析処理部１３６において演算処理に用いる該データ処理部１３５の演算処理結果が有効であるか否かを示す解析処理タイミング信号を該解析処理部１３６に出力する。
【００５９】
　例えばメモリ１５１〜１５４に書き込まれたデータが有効であれば上述の読み出し動作中または書き込み動作中であっても解析処理は可能であり、該データ処理タイミング信号あるいは該解析処理タイミング信号は書き込みモード信号および読み出しモード信号とは独立に制御される。すなわち上述の解析処理動作は、図２に示す検査対象期間（書き込み／読み出し）あるいは非検査対象期間の何れとも独立に並行して動作する検査装置の動作状態について述べたものである。
【００６０】
　また図１に示す磁気記録媒体または磁気ヘッドの検査装置１において、制御部１１０に配設した中央演算処理ユニット（ＣＰＵ）１１１は、メモリ１１２に書き込まれた動作制御プログラムに従って検査装置全体の動作を制御する。
【００６１】
　すなわち図１において、ＣＰＵ１１１は、可変周波数発振回路１１３、１１４に対する発振周波数制御と、モード切替／タイミング制御部１３７に対するスタート／ストップセクタ値等のタイミング制御データおよび書き込み／読み出しモード等の設定と、書き込みデータ生成部１２１に対する書き込みデータの設定と、解析処理部１３６の出力である検査対象磁気ディスクまたは磁気ヘッドの良否判定結果あるいは検査装置各部の動作状態等を読み出してメモリ１１２に保持する保持動作と、外部に配設したホストコンピュータ２との通信処理とを行う。
【００６２】
　また図１に示すように、検査装置１では、表示装置１６０を配設し、該ＣＰＵ１１１の制御により該データ処理部１３５で得たディスク再生信号の測定値、演算処理結果、判定処理結果あるいは検査装置各部の動作状態等を検査装置ユーザに対して表示する。
【００６３】
　ここで、図１に示す磁気記録媒体または磁気ヘッドの検査装置１において、データ処理部１３５は例えばディジタル信号処理を行うＤＳＰ（Digital Signal Processor）等の論理回路によって構成され、メモリ１５１に保持したディスク
再生信号のディジタル値をもとに補間処理等を行って、任意のセクタ位置あるいは任意の数のディスク再生信号パルスに対してパルス毎の振幅値または平均振幅値または任意の閾値におけるパルス毎のパルス幅または平均パルス幅を演算処理して算出する。
【００６４】
　すなわち本発明に係る磁気記録媒体または磁気ヘッドの検査装置は、任意のデータ再生期間あるいは全データ再生期間においてディスク再生信号をディジタル化してメモリに保持するため、保持した該ディジタル値をもとに図３に示す如くディスク再生信号の振幅値あるいは任意の閾値におけるパルス幅に対して、平均値、分散値、偏差値、累積度数値等を算出する統計演算処理を行い、または保持した該離散値に対してＦＦＴ（Fast Fourier Transform）等の周波数解析演算処理を行うことで磁気記録媒体または磁気ヘッドに対して詳細な検査を行うことが可能である。
【００６５】
　なお、図３では説明のためディスク再生信号のパルスについて、ａ＜ｂであるａ番目からｂ番目の連続するディスク再生信号パルスに対する統計演算処理を示しているが、本発明はこれに限定するものではなく、任意の数のディスク再生信号パルス、例えばひとつおきのディスク再生信号パルス等の不連続なパルスについても演算処理可能であることはいうまでもない。
【００６６】
　また、上述の図１に示す磁気記録媒体または磁気ヘッドの検査装置１では、検査対象として磁気記録媒体であるディスク１０１を用いた構成について述べているが、磁気記録媒体として良品または磁気特性の認知しているディスクと検査対象とする磁気ヘッドとを用いてディスクへの記録・再生を行うことで、磁気ヘッドの検査を行うことが可能である。
【００６７】
　また、図２では、ディスク回転制御部１０４からのインデックス信号あるいはエンコーダ信号を用いてディスク１０１上の記録／再生トラックにおける検査対象区間の判別を用いる構成および方法について説明しているが、本発明における検査装置はこれに限定するものではなく、例えばディスク１０１の記録／再生トラックに対してセクタ判別信号あるいは検査区間開始／終了信号を記録して、該セクタ判別信号あるいは検査区間開始／終了信号を再生して判別することで検査対象区間の判別を行い且つ磁気記録媒体または磁気ヘッドの検査が可能である。
【００６８】
　また図２(2)において、ディスク回転制御部１０４からのインデックス信号を用いたディスク回転数単位での検査について説明しているが、本発明における検査装置はこれに限定するものではなく、例えばディスク１０１の回転数とディスク１０１への記録時間を計測して記録時間の判別／制御を行う、あるいは再生時間を計測して再生時間の判別／制御を行うことで、磁気記録媒体または磁気ヘッドの検査が可能である。
【００６９】
　次に、図１に示す本発明に係る第１の実施形態におけるディスク再生信号のディジタル値への変換動作について、図４を用いて説明する。
【００７０】
　図４はＡ／Ｄ変換回路およびメモリを各々４個配設した際（Ｎ＝４）のディジタル値変換動作について読み出しモード信号が有効になってからの変換動作例を示すものであり、Ａ／Ｄ変換回路１４１〜１４４は各々サンプリング周波数ｆADCでサンプリング動作およびディジタル値変換動作を行い、またメモリ１５１〜１５４は各々ｆADCと等しい周波数でディジタル値データの保持動作を行う。
【００７１】
　各Ａ／Ｄ変換回路１４１〜１４４の動作制御を行うサンプリングクロックは、ディスク再生信号に対して周波数が目標とするサンプリング周波数ｆsであり、図５に示した例では各Ａ／Ｄ変換回路１４１〜１４４のサンプリング周波数ｆADCの４倍（Ｎ＝４）であるサンプリングクロックＣＬＫ０をモード切替／タイミング制御部１３７において読み出しモード信号が有効である期間に生成し、サンプリングクロック分配回路１３３で該サンプリングクロックＣＬＫ０を４分周してＡ／Ｄ変換回路１４１〜１４４のうち１つのＡ／Ｄ変換回路に対してＣＬＫ０が４パルスあたり１パルスを出力するように分周制御することでＣＬＫ１〜４に分配してそれぞれＡ／Ｄ変換回路１４１〜１４４に入力する。
【００７２】
　またメモリ制御信号は、各Ａ／Ｄ変換回路１４１〜１４４に接続した各メモリ１５１〜１５４に対して読み出しモード信号が有効になってから周波数ｆADCで順次メモリアドレスを増加させるようにアドレス制御信号を出力し、また前述のアドレス制御信号と同一の周波数で且つ同位相でライトイネーブル信号を出力することで、該Ａ／Ｄ変換回路１４１〜１４４で変換して得たディジタル値を該アドレス制御信号により制御したメモリアドレスに書き込み動作するように制御される。
【００７３】
　ここで、サンプリングクロック分配回路１３３においてＣＬＫ１〜４のサンプリングクロック間の位相差を例えばｆＡＤＣの逆数であるＡ／Ｄ変換回路１回路当たりのサンプリング時間のＮ分の１に設定してディスク再生信号に対して各Ａ／Ｄ変換回路１４１〜１４４を並列動作するように制御することで、各Ａ／Ｄ変換回路１４１〜１４４はディスク再生信号を時分割でディジタル値に変換し、サンプリングデータＤａｔａ１〜４のＳ１→Ｓ２→Ｓ３→Ｓ４→Ｓ５→Ｓ６→…の時分割順で出力する。
【００７４】
　つまり、ディスク再生信号に対してＮ倍のｆADCでの高速サンプリングおよび
ディジタル値への変換を実現するものである。また上述の説明では、ディスク再生信号に位相差を与えずに分配し、且つサンプリングクロックに位相差を与えて分配することで高速サンプリングを実現することを述べているが、これとは逆にサンプリングクロック分配回路１３３においてサンプリングクロックに位相差を与えずに分配し、且つディスク再生信号分配回路１３２においてディスク再生信号に位相差を与えて分配してサンプリングしても同様に高速サンプリングが実現できることはいうまでもない。
【００７５】
　図１および図４ではＮ＝４の場合について説明しているが、Ａ／Ｄ変換回路の並列数Ｎと、ディスク再生信号周波数ｆinと、Ａ／Ｄ変換回路１回路あたりのサンプリング周波数ｆADCと、ｆinに対して目標とするサンプリング周波数ｆsとの比Ｍ（図４ではＭ＝１６）との間には数１に示す関係が成立する。ただしｆinは、ディスク再生信号に対して目標とするパルス部分を計測するためのディスク再生信号周波数のｎ次高調波成分ｆinaと、ディスク再生信号パルスの繰り返し周波数成分ｆinbとのどちらかを用いる。図４に示したディスク再生信号波形では説明のため正弦波を用いており、正弦波は一般に知られるようにｎ次高調波成分を持たず繰り返し周波数と基本波周波数成分が同一で、従ってｆinaとｆinbとが一致している場合である。
【００７６】
　Ｎ≧Ｍ×ｆin／ｆADC 　　数１
　ただし数１においてＮは１以上の整数である。ディスク再生信号周波数ｆinは制御部１１０に配設したＣＰＵ１１１により上述の可変周波数発振回路１１３、１１４の発振周波数を可変することで制御され、すなわち書き込みデータの記録周波数および記録／再生時のディスク回転数およびデータパターンにより決定される。
【００７７】
　またｆinと目標サンプリング周波数との比Ｍは、検査対象とする磁気記録媒体または磁気ヘッドの特性に対して目標とする測定精度等を用いて規定するものであり、Ａ／Ｄ変換回路１回路あたりのサンプリング周波数ｆADCはＡ／Ｄ変換回路の最高サンプリング周波数を上限として、モード切替／タイミング制御部１３７において生成するサンプリングクロックを分配した周波数である。
【００７８】
　従って、上述のｆin、ｆADC、Ｍは、図１に示す磁気記録媒体または磁気ディスクの検査装置１において、既知の値で且つ検査装置ユーザが意図する値に設定可能である。
【００７９】
　従って、上述の構成によりディスク再生信号に対して時間軸方向で精細にサンプリングすることで、例えばディスク再生信号の急峻な変動を高精度にディジタル値に変換することが可能となり、例えばＴＡＡまたはＰＷ５０等をディジタル演算処理により算出する際に高精度なディジタル値データを用いることで磁気ディスクまたは磁気ヘッドの高精度な検査が可能となる。
【００８０】
　すなわち本発明は、磁気記録媒体または磁気ヘッドの検査装置において、再生した試験データをディジタル値に変換し、変換したディジタル値より、該磁気記録媒体の磁気特性に関する演算処理をして、該磁気記録媒体の検査を行うことで、磁気記録媒体または磁気ヘッドに対して詳細で且つ高精度な検査が実現可能である。
【００８１】
　また本発明は、磁気記録媒体または磁気ヘッドの検査装置において、再生した試験データをディジタル値に変換するＮ個（Ｎは整数）の変換手段と、該Ｎ個の変換手段を１個の変換手段につき所定のサンプリング周波数で動作させるサンプリングクロック制御手段と、該Ｎ個の変換手段で変換されたディジタル値を保持するＮ個の保持手段と、該Ｎ個の保持手段に保持されたディジタル値より該磁気記録媒体の磁気特性に関する演算処理をするデータ処理手段とを備え、該磁気記録媒体の検査を行うことで、磁気記録媒体または磁気ヘッドに対して詳細で且つより高精度な検査が実現可能である。
【００８２】
　また本発明は、磁気記録媒体または磁気ヘッドの検査装置において、上述の一実施の形態のように、 Ｎ個の変換手段とサンプリングクロック再生手段とＮ個の保持手段とデータ処理手段と解析処理手段とを配設することで、磁気記録媒体または磁気ヘッドに対して高速な検査を実現できる。  したがって、今後のディスク再生信号の高周波化に対応して高精度に磁気ディスクまたは磁気ヘッドの検査を行うことができる。
【００８３】
　次に、本発明に係る第２の実施の形態について図５を用いて説明する。図５では、検査対象とする磁気記録媒体であるディスクに対して、Ｌ個のＲ／Ｗヘッドと各Ｒ／Ｗヘッドに対応した再生アンプとを配設し、例えば異なるトラックあるいはセクタにおけるディスク再生信号を、各Ｒ／Ｗヘッドにより検出して再生アンプにより増幅してＬ個のディスク再生信号を得るとともに、Ｎ個配設した複数のＡ／Ｄ変換回路に対してディスク再生信号分配回路において分配制御信号により切り替えスイッチＳＷを制御してディスク再生信号の分配数および分配先を切り替えて出力し、各Ａ／Ｄ変換回路においてサンプリング周波数ｆADCでディジタル値に変換してメモリに出力する。
【００８４】
　図５では、４個（Ｌ＝４）のＲ／Ｗヘッド３０１〜３０４と再生アンプ３１１〜３１４とをディスク再生信号分配回路１３２に入力し、分配制御信号Ｓ１，Ｓ２を切り替えて該ディスク再生信号分配回路１３２の入出力間の接続状態を変更することで、４個（Ｎ＝４）配設したＡ／Ｄ変換回路１４１〜１４４に対してディスク再生信号の分配数を可変制御する構成例を示している。
【００８５】
　またサンプリングクロック分配回路１３３は、図1のモード切替／タイミング制御部１３７が出力したサンプリングクロックを用いてカウンタ３３１を動作させ、読み出しモード時に、Ｎ個配設した比較回路３３２〜３３５において、該カウンタ３３１の出力とＮ個の設定値とが一致した時のみサンプリングパルスを出力するように構成し、該サンプリングクロックをＮ分周し且つ各サンプリングパルス間の位相差がＮ分周したサンプリングクロックの周期をＮ等分した時間に等しいＮ相のクロックに変換する構成とし、１つのＡ／Ｄ変換回路の動作周波数であるサンプリング周波数ｆADCのＮ倍の周波数であるサンプリングクロックを該モード切替／タイミング制御部１３７により生成することで、各Ａ／Ｄ変換回路に対してサンプリング周波数がｆADCで且つＮ相の位相差でサンプリングクロックを供給する。 
　ここではサンプリングクロック分配回路１３３としてカウンタ３３１と比較回路３３２〜３３５を用いた構成を用いて述べているが、回路構成としてはこれに限らず、例えば遅延素子等を用いてサンプリングクロックをＮ相の位相差で且つＮ分配する構成としてもよい。
【００８６】
　図５では、４倍（Ｎ＝４）のｆADCである周波数のサンプリングクロックをサ
ンプリングクロック分配回路１３３に入力してカウンタ３３１を動作させ、カウンタ３３１の４つの出力状態すなわち00,01,10,11と設定値とを比較回路３３２〜３３５で比較し、遅延回路３３０で遅延したサンプリングクロックＣＬＫ０を該各比較回路３３２〜３３５の一致出力をもとにＡＮＤゲート３３６〜３３９でゲートして、該ＡＮＤゲート３３６〜３３９の出力をサンプリングクロックＣＬＫ１〜４として各Ａ／Ｄ変換回路１４１〜１４４に対して出力する構成を示している。
【００８７】
　なお、各Ａ／Ｄ変換回路１４１〜１４４の出力は図1に図示と同様のメモリ１５１〜１５４に供給され、その出力はデータ処理部１３５および解析処理部１３６に接続される。
【００８８】
　図６は図５に示した本発明に係る第２の実施の形態について、図1のモード切替／タイミング制御部１３７（図５では図示せず）においてスタートセクタを判別し読み出しモード信号を有効にしてサンプリング動作を開始した際のサンプリング回路動作を説明するものであり、図５に示した該分配制御信号がＳ１＝‘Ｌ’で且つＳ２＝‘Ｈ’である場合について示したものである。
【００８９】
　ここでディスク再生信号ｉｎ１はＲ／Ｗヘッド１０１および再生アンプ３１１からの出力信号でありＡ／Ｄ変換回路１４１および１４３に分配して入力され、ディスク再生信号ｉｎ２はＲ／Ｗヘッド３０２および再生アンプ３１２からの出力信号でありＡ／Ｄ変換回路１４２および１４４に分配して入力される例を示すものであり、すなわちディスク再生信号分配回路１３２において出力するディスク再生信号が２種類（Ｌ＝２）である例である。また、２つのディスク再生信号ｉｎ１、ｉｎ２に対してディスク再生信号ｉｎ１の再生セクタ番号が２であることを判別してサンプリング動作を開始する例を示している。
【００９０】
　すなわち各ディスク再生信号に対するサンプリング動作は、図６に示すように、Ａ／Ｄ変換回路１４１および１４３に分配したディスク再生信号をそれぞれサンプリングクロックＣＬＫ１およびＣＬＫ３のタイミングでサンプリングしてサンプリングデータＤａｔａ１およびＤａｔａ３に変換し、且つＡ／Ｄ変換回路１４２および１４４に分配したディスク再生信号をそれぞれサンプリングクロックＣＬＫ２およびＣＬＫ４のタイミングでサンプリングしてサンプリングデータＤａｔａ２およびＤａｔａ４に変換する。
【００９１】
　従って、最終的にディスク再生信号ｉｎ１はサンプリングデータとしてS1→S3→S5→S7→…の順にメモリ１５１および１５３（図示せず）に書き込まれ、またディスク再生信号ｉｎ２はサンプリングデータとしてS2→S4→S6→S8→…の順にメモリ１５２および１５４（図示せず）に書き込まれる。
【００９２】
　なお、ここでは説明のため２つのディスク再生信号ｉｎ１、ｉｎ２に対してディスク再生信号ｉｎ１の再生セクタ番号のみをサンプリング動作の開始判別に用いているが、実際には各ディスク再生信号に対して例えば個別にセクタ番号の判別を行い、設定した任意トラックあるいはセクタ区間に対してそれぞれ独立に検査することも可能である。
【００９３】
　また図５に示すディスク再生信号分配回路１３２において分配制御信号をＳ１＝“Ｌ”で且つＳ２＝“Ｌ”に設定した場合、これはディスク再生信号ｉｎ１〜ｉｎ４を各々４個（Ｎ＝４）配設したＡ／Ｄ変換回路１４１〜１４４に対して各々１：１で分配することになり（Ｌ＝４）、ディスク再生信号ｉｎ１〜ｉｎ４を周波数ｆADCでサンプリングすることになる。
【００９４】
　また図５に示すディスク再生信号分配回路１３２において分配制御信号をＳ１＝“Ｈ”に設定した場合、これはディスク再生信号ｉｎ１のみを４個（Ｎ＝４）配設したＡ／Ｄ変換回路１４１〜１４４に対して分配することになり、この場合検査装置１の回路動作は図２に示した回路動作と等しく、ディスク再生信号ｉｎ１をｆADCの４倍の周波数でサンプリングすることと等しくなり、従ってディスク再生信号ｉｎ１に対してS1→S2→S3→S4→S5→…の順にディジタル値に変換することになる。
【００９５】
　ここで、各Ａ／Ｄ変換回路１４１〜１４４のサンプリング周波数をｆADCとしてひとつのディスク再生信号に対するサンプリング周波数ｆsampleについて着目すると、ｆsampleは（Ｎ／Ｌ）×ｆADCに等しくなり、ディスク再生信号に対して分配制御信号を切り替えることでサンプリング周波数を可変制御可能となる。
【００９６】
　すなわち、上述したように磁気記録媒体または磁気ヘッドの検査装置においてディスク再生信号周波数ｆinは制御可能で既知の値であることから、数１に示した関係を用いて定めたＡ／Ｄ変換回路の並列数Ｎに対して、ディスク再生信号分配回路においてＬ個のディスク再生信号との接続状態を制御することで、ひとつのディスク再生信号に対するサンプリング周波数ｆsampleを数２に示す関係をもって制御可能となる。
【００９７】
　ｆsample＝（Ｎ／Ｌ）×ｆADC　　数２
　従って、例えばディスク再生信号に対して計測目標とする周波数成分がＡ／Ｄ変換回路のサンプリング周波数に対して高い場合に数２に示した関係でＬ＝１すなわち１個のＲ／Ｗヘッドと再生アンプおよびＮ個のＡ／Ｄ変換回路とを用いて、高速なサンプリング動作を実現する磁気記録媒体または磁気ヘッドの検査装置において、測定対象とするディスクまたは磁気ヘッドを用いた際に計測目標とするディスク再生信号の周波数成分がＡ／Ｄ変換回路のサンプリング周波数に対して高くない場合または測定精度に余裕がある場合等に、数２に示した関係でＬ＞１（図５ではＬ＝２）すなわちＬ個のＲ／Ｗヘッドと再生アンプおよびＮ個のＡ／Ｄ変換回路とを用いることでディスクの異なったトラックをＬ個の複数ヘッドを用いて同時に測定が可能となり、ディスクあるいは磁気ヘッドの検査工程におけるスループットの向上が可能となる。
【００９８】
　また本発明における検査装置では、検査するディスク数を限定するものではなく、例えば複数枚のディスクに対して複数個の磁気ヘッドと該磁気ヘッドに対応した再生アンプを用いることで、複数枚ディスクあるいは複数磁気ヘッドの同時測定が可能であり、またディスク検査のスループット向上を図るべくディスクの搬送装置を有する構成としてもよい。
【００９９】
　ここで図５および図６では、本発明に係る第２の実施の形態について説明のため、可変周波数発振回路および試験データの書き込み機能およびディスク再生波形をディジタル値化したディジタル値データの保持機能および該ディジタル値データから所望の測定値を算出する演算処理機能およびタイミング制御機能等について記載をしていないが、これらの機能については図１に示した本発明に係る第１の実施の形態と同じであり、本発明に係る磁気記録媒体または磁気ヘッドの検査装置ではこれらの機能を有している。
【０１００】
　また、図５および図６では説明のため各Ａ／Ｄ変換回路毎にサンプリングクロックの位相を固定して供給する構成としているが、本発明はこれに限定するものではなく、例えばディスク再生信号分配回路１３２への分配制御信号に応じてサンプリングクロック分配回路１３３において分配するサンプリングクロックの位相差を切り替える構成としても可能であり、Ｌ個のディスク再生信号に対して各々数２に示すサンプリング周波数でサンプリングすることを実現するものであればよい。また、分配制御信号の制御すなわち１つの再生信号に対するＡ／Ｄ変換回路の並列数に応じてサンプリングクロック周波数を可変制御する構成としてもよい。
【０１０１】
　すなわち本実施の形態では、磁気記録媒体または磁気ヘッドの検査装置において、該磁気記録媒体に記録した試験データを読み出して磁気記録媒体媒体または磁気ヘッドの試験を行う際に、Ｌ個配設したＲ／Ｗヘッドおよび再生アンプより出力されるＬ個のディスク再生信号をＮ個配設したＡ／Ｄ変換回路に再生信号分配回路を用いて分配する構成としたことで、複数の再生信号を並列で且つ別個にディジタル値に変換して処理することで、磁気記録媒体または磁気ヘッド検査の高速化を実現することができる。
【０１０２】
　次に、本発明に係る第３の実施の形態について説明する。磁気記録媒体または磁気ヘッドの検査装置では、上述の通りディスク再生信号に対して平均振幅ＴＡＡおよび平均パルス幅ＰＷ５０を計測することで磁気記録媒体または磁気ヘッドの検査を行う。ＴＡＡおよびＰＷ５０は、ディスク再生波形の振幅およびパルス幅を計測し、図１１に示す如く例えばディスク１周分について平均値処理することで得るものである。
【０１０３】
　ここで、ディスク再生波形を一定の時間間隔でサンプリングする場合、ディスク再生波形の時間に対する電圧変化率すなわち傾きが大きい部分では振幅方向に関してサンプリング密度が低くなり、またディスク再生波形の傾きが小さい部分振幅方向に関してサンプリング密度が高くなる。
【０１０４】
　例えば図８(1)に示すようなディスク再生信号では、サンプル値の発生頻度は０［Ｖ］付近とピーク値付近とで高くなる。この場合、ディスク再生信号ピーク値付近で最も発生頻度が高いサンプル値は、図１１に示したディスク再生信号の平均振幅ＴＡＡとほぼ等価になる。従って、ディスク再生信号サンプル値の発生頻度を計測し、該発生頻度がピーク値であるサンプル値を判別することでＴＡＡ計測が可能である。
【０１０５】
　また、図８(2)に示す如くディスク再生信号パルス毎にディスク再生信号振幅が閾値電圧よりも大きい間の時間計測用パルスのパルス数を計測し、該パルス数について上述のＴＡＡ計測と同様にパルス数毎の発生頻度を計測して、発生頻度が最も高い該パルス数を検出する。ここで該閾値電圧は、前述のＴＡＡ値の５０％の値を用いる。該時間計測用パルスの発振周波数の逆数に該パルス数を乗算処理することで得たパルス幅時間は図１１に示したディスク再生信号の平均パルス幅ＰＷ５０とほぼ等価になる。従って、ディスク再生信号のパルス幅を再生信号パルス毎に計測し、該パルス幅の発生頻度がピーク値であるパルス幅を判別することでＰＷ５０計測が可能である。
【０１０６】
　図７は、本発明に係る磁気記録媒体または磁気ヘッドの検査装置において、磁気ディスクに書き込んだ試験データを再生して磁気ディスクまたは磁気ヘッドの検査を行う際に、上述の計測方式をもとにディスク再生信号波形の平均振幅ＴＡＡおよび平均パルス幅ＰＷ５０を計測する装置の構成について示した図である。
【０１０７】
　すなわち図７に示す磁気記録媒体または磁気ヘッドの検査装置では、ディスク回転部１０３により回転動作し且つ試験データを書き込まれた磁気ディスク１０１からＲ／Ｗヘッド１０２と再生アンプ１３１とを介して試験データの波形再生を行い、これをＡ／Ｄ変換回路４０３においてサンプリングクロックＣＬＫ１に従ってサンプリングしてディジタル値に変換する。
【０１０８】
　頻度計測部４０４は、例えば、Ａ／Ｄ変換回路４０３が出力するディジタル値毎に頻度カウンタを内部に配設し、サンプリングクロックＣＬＫ１と同一周波数の頻度カウントクロックをもとに、該Ａ／Ｄ変換回路４０３が出力したディジタル値に対応した頻度カウンタのカウント値を増加動作させる。ヒストグラム処理部４０６はゲート回路からなり、例えばディスク１０１の１周分の読み出し動作の終了と同時に該頻度計測部４０４に配設した複数の該頻度カウンタ出力を順次読み出し、ディスク再生波形振幅付近のピーク値をＴＡＡ計測値として出力する。
【０１０９】
　また図７に示す磁気記録媒体または磁気ヘッドの検査装置では、ディジタルコンパレータ４０８において該Ａ／Ｄ変換回路４０３の出力値と該ヒストグラム処理部４０４が出力するＴＡＡを５０％の値にした閾値データとを比較して、ディスク再生信号パルス数と同一のパルス数であるカウンタイネーブル信号Ｅｎを生成する。カウンタ４０９は発振回路４０２において生成された既知の周波数の時間計測用クロックＣＬＫ２と該カウンタイネーブル信号Ｅｎとでカウント動作し、Ｅｎパルス毎にＥｎが有効である期間のＣＬＫ２のパルス数を計測する。
【０１１０】
　頻度計測部４０５は、例えば該カウンタ４０９が出力する離散値毎に頻度カウンタを内部に配設し、該カウンタイネーブル信号Ｅｎを頻度カウントクロックとして、該カウンタ４０９が出力した離散値に対応した頻度カウンタのカウント値を増加動作させる。ヒストグラム処理部４０７はゲート回路からなり、例えばディスク１０１の１周分の読み出し動作の終了と同時に該頻度計測部４０５に配設した複数の該頻度カウンタ出力を順次読み出し、該頻度カウンタ出力値が最大である該頻度カウンタに対応する該カウンタ値をＰＷ計測値として出力する。
【０１１１】
　ここでＰＷ計測値は該時間測定用クロックＣＬＫ２のパルス数で与えられるが、該時間測定用クロックＣＬＫ２の発振周波数が既知であることから、制御部に配設したＣＰＵ（図示せず）等により該時間計測用クロックＣＬＫ２の発振周波数の逆数に該パルス数を乗算処理することでＰＷ値を得る。
【０１１２】
　上述の説明では頻度計測部４０４、４０５において複数のカウンタを用いる構成について述べているが、本発明はこれに限定するものではなく、例えば図９に示すようにメモリ５１１、５２１並びに加算回路５１２、５２２を用いた構成としてもよい。
【０１１３】
　すなわちＴＡＡ計測においてはＡ／Ｄ変換回路４０３で変換されたディスク再生信号の離散値をもとに、メモリ５１１を用いて該ディジタル値に対応した該メモリ５１１のアドレスに書き込まれたデータを加算回路５１２を用いて加算して同じアドレスに書き込むことで頻度を計測することも可能である。ＰＷ５０計測についても、メモリ５２１を用いてカウンタ５２５の出力値に対応した該メモリ５２１のアドレスに書き込まれたデータを加算回路５２２を用いて加算して同じアドレスに書き込むことで頻度を計測することも可能である。
【０１１４】
　また、図９では任意の閾値データを保持したレジスタ５２３とＡ／Ｄ変換回路４０３との出力をディジタルコンパレータ５２４を用いて比較することでカウンタ５２５の動作制御を行う構成例であり，すなわち本構成によれば任意の閾値に対する平均パルス幅を計測することが可能であり、またＰＷ５０を計測する際には前述のＴＡＡ測定値の５０％のデータをレジスタ５２３に設定して計測すればよいことは言うまでもない。
【０１１５】
　また特に図示してはいないが、ＰＷ５０については、試験データ読み出し期間中におけるカウンタイネーブル信号Ｅｎのパルス幅の合計とパルス数とを計測し、読み出し終了後に該パルス幅の合計値を該パルス数で除算して平均値処理することでも計測可能である。
【０１１６】
　また、図７および図８および図９では、本発明に係る第３の実施の形態について説明のため、試験データの書き込み機能およびタイミング制御機能等について記載をしていないが、これらの機能については図１に示した本発明に係る第１の実施の形態と同じであり、本発明に係る磁気記録媒体または磁気ヘッドの検査装置ではこれらの機能を有する。
【０１１７】
　すなわち本発明は、ディスク再生波形の平均振幅ＴＡＡあるいは任意の閾値レベルにおける平均パルス幅ＰＷを計測する磁気記録媒体または磁気ヘッドの検査装置において、計測値の頻度を求めることでＴＡＡとＰＷとの両方あるいはいずれかを統計的に処理して計測することを特徴とする。
【図面の簡単な説明】
【０１１８】
【図１】本発明に係る磁気記録媒体または磁気ヘッドの検査装置における第一の実施の形態を示す図である。
【図２】図１の動作を示す図である。
【図３】ディスク再生信号の波高値およびパルス幅についての統計演算処理を説明する図である。
【図４】図１の第一の実施形態について、複数のＡ／Ｄ変換回路を用いてディスク再生信号をサンプリングしてディジタル値に変換する動作を説明する図である。
【図５】本発明に係る磁気記録媒体または磁気ヘッドの検査装置において第二の実施の形態を示す図である。
【図６】図２の第二の実施の形態について、複数のＡ／Ｄ変換回路を用いて、複数のディスク再生信号を個別にサンプリングしてディジタル値に変換する動作を説明する図である。
【図７】本発明に係る磁気記録媒体または磁気ヘッドの検査装置において第三の実施の形態を示す図である。
【図８】図７の第三の実施の形態について、ディスク再生波形の平均振幅値ＴＡＡおよび平均パルス幅ＰＷ５０を計測する原理を説明する図である。
【図９】図７の第三の実施の形態についての、別の実施の形態を示す図である。
【図１０】従来の磁気記録媒体または磁気ヘッドの検査装置の構成を示す図である。
【図１１】ディスク再生信号に対するディスク再生信号平均振幅（ＴＡＡ）およびＴＡＡの５０％点におけるディスク再生信号平均パルス幅（ＰＷ５０）の定義を説明する図である。
【符号の説明】
【０１１９】
１…磁気ディスク／磁気ヘッド検査装置、２…ホストコンピュータ、１０１…ディスク、１０２…Ｒ／Ｗヘッド、１０３…ディスク回転部、１０４…ディスク回転制御部、１１０…制御部、１１１…ＣＰＵ、１１２…メモリ、１１３、１１４…可変周波数発振回路、１２１…書き込みデータ生成部、１２２…書込アンプ、１３１…再生アンプ、１３２…ディスク再生信号分配回路、１３３…サンプリングクロック分配回路、１３４…メモリ制御信号分配回路、１３５…データ処理部、１３６…解析処理部、１３７…モード切替／タイミング制御部、１４１、１４２、１４３、１４４…Ａ／Ｄ変換回路、１５１、１５２、１５３、１５４…メモリ、１６０…表示装置、３０１、３０２、３０３、３０４…Ｒ／Ｗヘッド、３１１、３１２、３１３、３１４…再生アンプ、３２１、３２２、３２３、３２４、３２５、３２６、３２７、３２８…バッファアンプ（Ｂｕｆ）、３３０…遅延回路、３３１…カウンタ、３３２、３３３、３３４、３３５…比較回路、３３６、３３７、３３８、３３９…ＡＮＤゲート、４０１、４０２…発振回路、４０３…Ａ／Ｄ変換回路、４０４、４０５…頻度計測部、４０６、４０７…ヒストグラム処理部、４０８…ディジタルコンパレータ、４０９…カウンタ、４１０…係数回路、５０１、５０２…発振回路、５０３、５０４…遅延回路、５１１、５２１…メモリ、５２１、５２２…加算回路、５２３…レジスタ、５２４…ディジタルコンパレータ、５２５…カウンタ、６０１…書込／読出アンプ、６０２…テスト信号発生回路、６０３…書込制御回路、６０４…レベル調整用アンプ（ＡＭＰ）、６０５…ＴＡＡ検出回路、６０６…スライスレベル作成回路、６０７…ＰＷ検出回路、６０８…波形比較回路、６０９…エラー検出回路、６１０…エラーメモリ。
【図１】
2004127511.tif 000003
【図２】
2004127511.tif 000004
【図３】
2004127511.tif 000005
【図４】
2004127511.tif 000006
【図５】
2004127511.tif 000007
【図６】
2004127511.tif 000008
【図７】
2004127511.tif 000009
【図８】
2004127511.tif 000010
【図９】
2004127511.tif 000011
【図１０】
2004127511.tif 000012
【図１１】
2004127511.tif 000013